(57)【要約】      （修正有）【課題】安価で、多様な練習ができるゴルフ練習具を提供する。【解決手段】合成樹脂、天然ゴムで形成された円筒形をしており、その円筒の頂上面から底面にかけて、らせん状に内径から外径に至る１本の切れ込みをいれた事を特徴とする。【選択図】図１
0003157365.tif 000002
【実用新案登録請求の範囲】
【請求項１】
すべり止め効果のある天然ゴム、合成ゴム、合成樹脂で形成された円筒であり、円筒の内径は、ゴルフクラブのシャフトの直径とほぼ同じ程度の寸法である。その円筒の内径円周上の１地点より外側面に達する切れ込みカットをらせん状に円筒全長にわたり施したことを特徴としたゴルフクラブ装着ゴルフ練習具。
【請求項２】
すべり止め効果のある天然ゴム、合成ゴム、合成樹脂で棒状に押し出し成形し、さらにコイルばね状に成形する。その巻かれたコイルの内径は、ゴルフクラブのシャフトの直径にほぼ同じ程度の寸法であることを特徴としたゴルフクラブ装着ゴルフ練習具。
【考案の詳細な説明】
【技術分野】
【０００１】  本考案は、手持ちのゴルフクラブに装着してスイングの練習に使用するおもりであり、ウォーミングアップ、スイングの矯正、筋力強化などに効果を上げることを目的としたゴルフ練習具である。
【背景技術】
【０００２】  一般に、ゴルフクラブにおもりを装着してゴルフスイングの練習を助ける練習具としては、ゴルフクラブグリップ側からドーナッツ状のおもりを入れ、クラブヘッドに装着して素振り練習する練習具がある。さらにシリコーンチューブを全長に直線で切れ目を１本入れ、ゴルフクラブのシャフトを咥えこむタイプなどが知られている。
【特許文献１】  特開２００４−３３７２１３号広報
【実用新案文献１】
登録実用新案第３０８６７０４号
【考案の開示】
【考案が解決しようとする課題】
【０００３】  ゴルフクラブにおもりを装着する練習具としては、ドーナッツ型のリングをゴルフヘッドに引っ掛けてスイングするタイプ、クラブシャフトに別部品を取り付け、固定させるタイプがある。これらは、ゴルフクラブのおもりの位置が固定化されるため、同じおもりのバランスでの練習しかできない課題がある。【０００４】  上記特開２００４−３３７２１３号広報記載の発明は、ゴルフクラブシャフトを滑らず、咥えこむ必要があるためシリコーンゴムという大変高価な原材料を使用しているというコストが高いという課題がある。
【課題を解決するための手段】
【０００５】  これらの課題を解決するために請求項１のゴルフ練習具は円筒形であり、円筒を縦に貫通している穴の中心より、らせん状に全長にわたり、１本の切れ込みを円筒側面に施している。貫通穴はゴルフクラブシャフトの直径とほぼ同じである。この円筒形のゴルフ練習具は、すべり止めの特徴を有した天然ゴム、合成ゴム、合成樹脂で金型成形されたものであり、らせん状の切れ込み線を広げ、ゴルフクラブシャフトに装着することが可能になる。金型成形されているため、手でらせん状の切れ込みカット部を広げても元の形状に戻る性質を持っており、ゴルフシャフトに絡みつく。この作用によって、位置によって直径が異なるゴルフクラブシャフトであるが、円筒形ゴルフ練習具は、シャフトを絞め、絡みつき、滑らずに固定が可能になる。【０００６】  原材料を安価にする手段として本考案ゴルフ練習具は円筒形らせん切れ込みを金型成形することで十分にゴルフクラブシャフトを絞め込み、絡みつく特徴を有しているため、高価なシリコーンゴムにこだわらず、比較的安価な天然ゴム、合成ゴム、軟質合成樹脂で十分に機能を発揮できる。
【考案の効果】
【０００７】  ゴルフクラブシャフトのどこの位置にでもおもりを装着できることによって、ゴルフの練習方法が多様になる。たとえば、ゴルフクラブヘッドの根元部分に本考案のゴルフ練習具であるおもりを装着して、ゆっくりスイングした場合、重量が十分手元に伝わり、さらに遠心力が加わり、筋肉や関節のストレッチに効果がある。コースに出る前のウォーミングアップに適している。【０００８】  本考案のゴルフ練習具であるおもりをゴルフクラブのグリップ根元に装着した場合、重量負荷は軽減され、素早いスイングの練習が可能であり、筋力の強化とヘッドスピードの改善に効果がある。【０００９】  さらに、本考案のゴルフ練習具であるおもりをゴルフクラブシャフトの中間部に装着した場合は、筋力強化とゴルフスイングフォームの矯正に効果を発揮する。
【考案を実施するための最良の形態】
【００１０】  図１は、円筒形ゴルフ練習具の斜視図である。円筒の直径は４０ｍｍ程度、高さは１５０ｍｍ程度であり、円筒中心に空いている貫通穴２の直径は１０ｍｍ程度である。貫通穴２の円周上の一点から円筒側面に向かってらせん切れ込みカット溝３を貫通穴の最深部まで到達させる。【００１１】  図２は、巻きコイル状ゴルフ練習具本体の側面図である。また、図３は、この巻きコイル状ゴルフ練習具の上から見た図である。コイル状樹脂５は、天然ゴム、合成ゴムの材質で、押し出し成形した直径２５ｍｍ程度で長さ３００ｍｍ程度の丸棒である。この丸棒を図３の円柱形空間６を確保するようにらせんコイル状に巻きあげる。この円柱形空間の直径は１０ｍｍ程度である。コイル状にゴルフ練習具本体４は、さらに熱処理を行い、形状を安定させる。【００１２】  図４は、本考案ゴルフ練習具をゴルフクラブに装着した図である。本考案ゴルフ練習具は、らせん切れ込みカット溝３、又はコイル状樹脂５を手で広げ、貫通穴２、または円柱形空間６にゴルフクラブシャフトにセットすることで、ゴルフクラブシャフトに絡みつき固定が可能になる。ゴルフクラブシャフトのどの位置にでも固定が可能であり、グリップ方向ａに移動すると重量負荷が弱まり、ヘッド方向ｂに移動すると重量負荷が強まり、固定する位置により重量バランスが異なり、多様なゴルフの練習が可能にまる。
【図面の簡単な説明】
【００１３】
【図１】  円筒形ゴルフ練習具本体斜視図
【図２】  らせんコイル状ゴルフ練習具の側面図
【図３】  らせんコイル状ゴルフ練習具の上から見た図
【図４】  ゴルフ練習具をゴルフクラブに装着した図
【符号の説明】
【００１４】  １    円筒形ゴルフ練習具本体
２    貫通穴
３    らせん切り込みカット溝
４    巻コイル状ゴルフ練習具本体
５    コイル状樹脂
６    円柱形空間
７    ゴルフクラブ
８    グリップ
９    シャフト
１０  ヘッド
１１  ゴルフ練習具本体
ａ    グリップ方向
ｂ    ヘッド方向
【図１】
0003157365.tif 000003
【図２】
0003157365.tif 000004
【図３】
0003157365.tif 000005
【図４】
0003157365.tif 000006
【手続補正書】
【提出日】平成21年11月5日(2009.11.5)
【手続補正１】
【補正対象書類名】実用新案登録請求の範囲
【補正対象項目名】全文
【補正方法】変更
【補正の内容】
【実用新案登録請求の範囲】
【請求項１】
合成樹脂、天然ゴムで形成された円筒形をしており、その円筒の頂上面から底面にかけて、らせん状に内径から外径に至る１本の切れ込みをいれた事を特徴としたゴルフクラブシャフトに装着するゴルフ練習具。
【請求項２】
合成樹脂、天然ゴムで棒状に押し出し成形し、さらにゴルフクラブシャフトの外径と同じ程度の内径寸法でコイル状に巻き上げ成形した事を特徴としたゴルフクラブシャフトに装着するゴルフ練習具。